(57)【要約】【課題】接着剤を使用しても竪樋との接続作業の容易で水漏れがなく安価な竪樋の接続方法を提供することを目的とする。【解決手段】一端に竪樋１の端部の内面と嵌合する差し口２１を有し、他端に竪樋１の端部の内面との間に間隙溝３を形成する縮径口２２を有した接続管２を介して竪樋１、１同志を接続する方法であって、上流側竪樋１の下端から接続管２の差し口２１を嵌合し、竪樋１端部の内面と縮径口２２との間に間隙溝３を形成してから間隙溝３に接着剤５を注入し、間隙溝３に補助短管４の一端部を嵌入して上流側竪樋１の下端面より補助短管４の他端部を下方に延出させ、補助短管４の他端部に下流側竪樋１の上端を外挿する。【選択図】      図２
2004225396.tif 000002
【特許請求の範囲】
【請求項１】
一端に竪樋端部の内面と嵌合する差し口を有し、他端に竪樋端部の内面との間に間隙溝を形成する縮径口を有した接続管を介して竪樋同志を接続する方法であって、上流側竪樋の下端から接続管の差し口を嵌合し、竪樋端部の内面と縮径口との間に間隙溝を形成してから間隙溝に接着剤を注入し、間隙溝に補助短管の一端部を嵌入して上流側竪樋の下端面より補助短管の他端部を下方に延出させ、補助短管の他端部に下流側竪樋の上端を外挿することを特徴とする竪樋の接続方法。
【発明の詳細な説明】
【０００１】
【発明の属する技術分野】
本発明は、竪樋同士を接続管を介して接続する竪樋の接続方法に関する。
【０００２】
【従来の技術】
従来、美観上、竪樋の外側に竪樋継手が殆ど露出しないようにした段部のない接続構造が知られている（例えば、特許文献１を参照。）。
【０００３】
ところで、硬質塩化ビニル樹脂等の合成樹脂を材料とする竪樋は、押出成形法により連続的に押出されて外径寸法管理により製されるのが通常であり、竪樋の内径寸法は外径よりもばらつきが比較的大きかった。そのため、施工された上流側の竪樋の内側に接着剤を塗布して樋継手の差し口を挿入することが行われているが、接着剤が垂れたり、また内面全周に接着剤を塗ることが困難であり、接着面に接着剤が着いておらず、竪樋の端部と差し口との間に隙間ができ、水漏れが発生するという問題がある。
【０００４】
そこで、接着剤を使用しないで、上流側の竪樋から流れ落ちる水を止水するために弾性シール材を取付けた竪樋継手を用いて接続することが提案されている（例えば、例えば、特許文献２を参照。）。
【０００５】
【特許文献１】
実開平４─４７０２８号公報（図２）
【特許文献２】
実開平４─２８２０号公報（図１及び図２）
【０００６】
【発明が解決しようとする課題】
しかしながら、上記の特許文献２に記載された竪樋の接続方法においては、竪樋継手が竪樋の外側に殆ど露出することがなく外観上良好に接続することができ水漏れがなくなるが、弾性シール材を取付けるために竪樋継手の製作コストが高くなるという問題があった。
【０００７】
本発明は、このような従来の竪樋の接続方法における問題点に着目してなされたものであり、その目的とするところは、従来の問題点を解決し、接着剤を使用しても竪樋との接続作業の容易で水漏れがなく安価な竪樋の接続方法を提供することにある。
【０００８】
【課題を解決するための手段】
上記目的を達成するために、本発明竪樋の接続方法は、一端に竪樋端部の内面と嵌合する差し口を有し、他端に竪樋端部の内面との間に間隙溝を形成する縮径口を有した接続管を介して竪樋同志を接続する方法であって、上流側竪樋の下端から接続管の差し口を嵌合し、竪樋端部の内面と縮径口との間に間隙溝を形成してから間隙溝に接着剤を注入し、間隙溝に補助短管の一端部を嵌入して上流側竪樋の下端面より補助短管の他端部を下方に延出させ、補助短管の他端部に下流側竪樋の上端を外挿することを特徴するものである。
【０００９】
本発明において、竪樋の接続方法において用いられる接続管と補助短管の形状は、適宜でよいが、竪樋の形状に合った形状となっており、その材質としては、特に限定されるものではないが、例えば、硬質塩化ビニル樹脂、ポリエチレン、ＦＲＰ、ポリカーボネイトのような合成樹脂の他、ポリフェニレンサルファイドのようなエンジニアリングプラスチック、或いは鉄、ステンレス鋼、銅、アルミニウムのような金属を単独に使用してもよい。
【００１０】
【作用】
本発明竪樋の接続方法においては、上流側竪樋の下端から接続管の差し口を嵌合し、竪樋端部の内面と縮径口との間に間隙溝を形成してから間隙溝に接着剤を注入し、間隙溝に補助短管の一端部を嵌入して上流側竪樋の下端面より補助短管の他端部を下方に延出させ、補助短管の他端部に下流側竪樋の上端を外挿することになるので、間隙溝に補助短管を嵌入すると接着剤が竪樋端部内に充填塗布され、接続管の差し口との間に接着剤が圧入されるから水封性が向上する。
【００１１】
【発明の実施の形態】
次に、本発明の実施の態様を図面を参照しながら説明する。
図１は本発明竪樋の接続方法の一例を説明する一部切欠分解斜視図、図２は本発明竪樋の接続方法の手順を説明する図で、同図（ａ）  は上流側竪樋の下端から接続管の差し口を嵌入した状態を示す断面図、同図（ｂ）  は竪樋端部の内面と縮径口との間に間隙溝に接着剤が注入された状態を示す断面図、同図（ｃ）  は接着剤が注入された間隙溝に補助短管が嵌合されるとともに補助短管に下側竪樋の上端を外挿する状態を示す断面図である。
【００１２】
図１〜２において、１は竪樋であって、竪樋１は、硬質塩化ビニル樹脂製の長尺状角筒体であり、四角の角部１１が内方に湾曲して形成されている。
【００１３】
２は竪樋１同士を接続する際に使用する接続管であって、その一端に、竪樋１の端部の内面と嵌合する差し口２１が形成され、他端に、竪樋１の端部の内面との間に間隙溝３を形成する縮径口２２が形成されている。４は補助短管であって、間隙溝３に嵌入される形状となっている。
【００１４】
図２に示すように、接続管２の差し口２１と縮径口２２と間の外周面にはほぼ垂直な段差部２３が形成されており、この段差部２３が補助短管４の一端部の係止部となっている。
【００１５】
次に、本発明竪樋の接続方法の手順について説明する。
上流側の竪樋１内に接続管２の差し口２１を挿入するには、竪樋１の下端部の内面と接続管２の差し口２１の開口端２１２の外面とを合わせて差し口２１を竪樋１内に挿入する。この挿入の際に、段差部２３を竪樋１内に位置するように挿入すると、竪樋１と縮径口２２との間に間隙溝３が形成されることになる。
【００１６】
続いて、間隙溝３に接着剤５を注入してから、補助短管４の一端部を嵌入して上流側竪樋１の下端面より補助短管４の他端部を下方に延出させる。補助短管４の一端部を嵌入すると、間隙溝３内の接着剤５が圧縮され補助短管４の一端部が段差部２３に達する。
このときに、接着剤５は竪樋１の内周面と差し口２１との隙間に浸入し、接続管２が竪樋１に水漏れのないように接着されるとともに補助短管３も接続管２に接合される。
最後に、接合された補助短管３の他端部に接着剤６を塗布してから、下流側竪樋１の上端を外挿すると、上下の竪樋１、１同志の接続は終了する。
【００１７】
以上、本発明の実施の態様を図について説明したが、本発明の具体的な構成は図示の実施の態様に限定されることはなく、本発明の要旨を逸脱しない範囲の設計変更は本発明に含まれる。
例えば、接合された補助短管３の他端部に接着剤６を塗布したが、伸縮継手のように遊嵌状態に接続する場合、接着剤６は塗布しなくてもよい。
【００１８】
【発明の効果】
本発明竪樋の接続方法においては、上流側竪樋の下端から接続管の差し口を嵌合し、竪樋端部の内面と縮径口との間に間隙溝を形成してから間隙溝に接着剤を注入し、間隙溝に補助短管の一端部を嵌入して上流側竪樋の下端面より補助短管の他端部を下方に延出させ、補助短管の他端部に下流側竪樋の上端を外挿するために、接続管の差し口が竪樋内面に隙間なく接着固定されることになる。
従って、接着剤だけで竪樋との接続が容易で水漏れがなく弾性シール材を用いる必要がないから安価なものとなる。
【図面の簡単な説明】
【図１】本発明竪樋の接続方法の一例を説明する一部切欠斜視図である。
【図２】本発明竪樋の接続方法を手順を説明する図で、同図（ａ）  は上流側竪樋の下端から接続管の差し口を嵌入した状態を示す断面図、同図（ｂ）  は竪樋端部の内面と縮径口との間に間隙溝に接着剤が注入された状態を示す断面図、同図（ｃ）  は接着剤が注入された間隙溝に補助短管が嵌合されるとともに補助短管に下側竪樋の上端を外挿する状態を示す断面図である。
【符号の説明】
１                竪樋
２                接続管
２１              差し口
２２              縮径口
２３              段差部
３                間隙溝
４                補助短管
５                接着剤
【図１】
2004225396.tif 000003
【図２】
2004225396.tif 000004